(57)【要約】【課題】関心度又は話題性の高いコンテンツの閲覧率を高める。【解決手段】コンテンツの提示順位を制御する装置１は、算出部１６と、制御部１８と、を備えてよい。算出部１６は、ネットワーク３に配信された複数のコンテンツのうち、相互に類似する類似コンテンツのそれぞれについて、クリック率と配信からの時間経過とに基づいて、スコアを算出する。制御部１８は、前記類似コンテンツの中で、最新の類似コンテンツのスコアに他の類似コンテンツのスコアを加算し、前記類似コンテンツそれぞれのスコアに基づいて前記類似コンテンツの提示順位を制御する。【選択図】図１
2019105942.tif 000002
【特許請求の範囲】
【請求項１】
ネットワークに配信された複数のコンテンツのうち、相互に類似する類似コンテンツのそれぞれについて、クリック率と配信からの時間経過とに基づいて、スコアを算出する算出部と、
前記類似コンテンツの中で、最新の類似コンテンツのスコアに他の類似コンテンツのスコアを加算し、前記類似コンテンツそれぞれのスコアに基づいて前記類似コンテンツの提示順位を制御する制御部と、
を備えた、コンテンツの提示順位を制御する装置。
【請求項２】
前記算出部は、
前記クリック率が閾値以上の類似コンテンツの前記スコアを増加し、前記クリック率が閾値未満の類似コンテンツの前記スコアを減少する、
請求項１に記載の装置。
【請求項３】
前記スコアの増加及び前記スコアの減少は、前記時間経過に応じてスコアが減少する関数の減少度を変化させることによって行われる、
請求項２に記載の装置。
【請求項４】
前記制御部は、
前記類似コンテンツに、配信元が同じ類似コンテンツと配信元が異なる類似コンテンツとが含まれる場合に、配信元が同じ類似コンテンツを優先して前記最新の類似コンテンツを選ぶ、
請求項１から３のいずれか１項に記載の装置。
【請求項５】
前記制御部は、前記クリック率が閾値以上の類似コンテンツにタグを付与する、
請求項１から４のいずれか１項に記載の装置。
【請求項６】
前記制御部は、
前記最新の類似コンテンツに選ばれる類似コンテンツに入れ替わりがあった場合に、入れ替わり後の類似コンテンツに前記入れ替わりがあったことを示すタグを付与する、
請求項１から４のいずれか１項に記載の装置。
【請求項７】
前記制御部は、前記類似コンテンツを、それぞれの配信時間に基づいて時系列に並べる、
請求項１から４のいずれか１項に記載の装置。
【請求項８】
前記制御部は、前記配信時間に応じた時間情報を示すタグを前記時系列に並べられた類似コンテンツのそれぞれに付与する、
請求項７に記載の装置。
【請求項９】
ネットワークに配信された複数のコンテンツのうち、相互に類似する類似コンテンツのそれぞれについて、クリック率と配信からの時間経過とに基づいて、スコアを算出し、
前記類似コンテンツの中で、最新の類似コンテンツのスコアに他の類似コンテンツのスコアを加算し、前記類似コンテンツそれぞれのスコアに基づいて前記類似コンテンツの提示順位を制御する、
コンテンツの提示順位を制御する方法。
【請求項１０】
ネットワークに配信された複数のコンテンツのうち、相互に類似する類似コンテンツのそれぞれについて、クリック率と配信からの時間経過とに基づいて、スコアを算出し、
前記類似コンテンツの中で、最新の類似コンテンツのスコアに他の類似コンテンツのスコアを加算し、前記類似コンテンツそれぞれのスコアに基づいて前記類似コンテンツの提示順位を制御する、
処理を、コンピュータに実行させる
コンテンツの提示順位を制御するプログラム。
【発明の詳細な説明】
【技術分野】
【０００１】
本発明は、コンテンツの提示順位を制御する技術に関する。
【背景技術】
【０００２】
ユーザ端末は、インターネットなどのネットワークにアクセスすることで、当該ネットワークにおいて配信、掲載、又は公開されている１つ以上のコンテンツを取得して当該ユーザ端末の表示画面に表示できる。なお、「コンテンツ」の一例としては、ニュース等の記事コンテンツが挙げられる。また、ユーザ端末の表示画面は、「閲覧画面」と称されてもよい。
【０００３】
ここで、ユーザ端末の閲覧画面において、複数のコンテンツを表示する場合、その表示順を、コンテンツに対するクリック率（click through rate，ＣＴＲ）によって並び替える技術が知られている。
【０００４】
なお、ＣＴＲは、コンテンツが閲覧画面に表示された回数（インプレッション数）のうち、当該コンテンツがクリックされた回数（クリック数）の割合を表す。したがって、「ＣＴＲ」は、コンテンツに対するユーザの関心度を示す指標の一例と云える。
【先行技術文献】
【特許文献】
【０００５】
【特許文献１】特開２０１５−１６４０４９号公報
【特許文献２】特開２０１６−６５９２号公報
【特許文献３】特開２０１６−４３２６号公報
【特許文献４】特開２００１−２０９６５５号公報
【発明の概要】
【発明が解決しようとする課題】
【０００６】
しかし、例えば、ユーザが表示画面において閲覧した記事（例えば、ＣＴＲの高いコンテンツ）に類似する記事が更新されても、その更新が端末の表示画面における表示順には反映されないことがある。
【０００７】
そのため、ユーザは、閲覧画面において１度閲覧したＣＴＲの高い記事に類似する記事が更新されても、その更新を閲覧しないままであることがある。すなわち、ＣＴＲが高い記事、別言すると、関心度（又は話題性）の高い記事であるにも関わらず、ユーザによる閲覧機会が喪失してしまうことがある。
【０００８】
本発明の目的の１つは、関心度又は話題性の高いコンテンツの閲覧率を高めることにある。
【課題を解決するための手段】
【０００９】
一態様に係るコンテンツの提示順位を制御する装置は、ネットワークに配信された複数のコンテンツのうち、相互に類似する類似コンテンツのそれぞれについて、クリック率と配信からの時間経過とに基づいて、スコアを算出する算出部と、前記類似コンテンツの中で、最新の類似コンテンツのスコアに他の類似コンテンツのスコアを加算し、前記類似コンテンツそれぞれのスコアに基づいて前記類似コンテンツの提示順位を制御する制御部と、を備える。
【発明の効果】
【００１０】
本発明の一態様によれば、関心度又は話題性の高いコンテンツの閲覧率を高めることができる。
【図面の簡単な説明】
【００１１】
【図１】一実施の形態に係る、コンテンツの表示順位を制御する装置の構成例を示すブロック図である。
【図２】一実施の形態に係る代表記事の選定例を説明する図である。
【図３】一実施の形態に係るトレンドスコアの計算に用いられる関数の一例を示す図である。
【図４】図３の実線Ａで示される関数に対して、トレンドスコアの増加又は減少が行われる例を示す図である。
【図５】一実施の形態おいて、代表記事のトレンドスコアに他の類似記事のトレンドスコアを加算する例を示す図である。
【図６】一実施の形態おいて、ユーザ端末にリスト形式で提供される複数の類似記事が、それぞれのトレンドスコアの降順に並べ替えられた例を示す図である。
【図７】図１に例示した装置の動作例を示すフローチャートである。
【図８】一実施の形態に係る、ユーザ端末における類似記事リストの第１の画面表示例を示す図である。
【図９】一実施の形態に係る、ユーザ端末における類似記事リストの第２の画面表示例を示す図である。
【図１０】図９に例示した画面表示例の変形例を示す図である。
【図１１】一実施の形態に係る、ユーザ端末における類似記事リストの第３の画面表示例を示す図である。
【図１２】一実施の形態に係る、ユーザ端末における類似記事リストの第４の画面表示例を示す図である。
【図１３】一実施の形態に係るコンピュータのハードウェア構成の一例を示すブロック図である。
【発明を実施するための形態】
【００１２】
コンテンツの表示順を並び替える技術に関して、例えば、ユーザに提供する情報どうしの関連度（別言すると、類似度）と、提供する情報の鮮度と、に重み付けして総和をとることで優先度を算出し、算出した優先度の順に情報を提供する技術を検討してみる。
【００１３】
しかし、この技術では、情報の類似度及び鮮度のいずれか一方を優先するという二者択一的な優先度付けができるに過ぎない。このような「重み付け総和」に、ユーザの関心度の指標の一例であるＣＴＲというパラメータを追加適用してみても、二者択一が三者択一になるに過ぎない。
【００１４】
あるいは、例えば、ＣＴＲが高いほど類似度又は鮮度の重みを高くすることを試みた場合であっても、ＣＴＲによって重み付けされた類似度が高ければ、古い記事であっても優先度が高くなる。また、ＣＴＲによって重み付けされた鮮度が新しければ、類似度の低い記事であっても優先度が高くなる。
【００１５】
そのため、ＣＴＲが高い関連記事群、別言すると、関心度（又は話題性）の高い類似記事群の中でも新しい記事を優先してユーザに提供することは難しい。
【００１６】
そこで、以下の実施形態では、関心度（又は話題性）の高い類似コンテンツ群の中でも最新のコンテンツを、例えばユーザ端末の表示画面において優先的に表示可能な装置、方法、及び／又は、プログラムについて説明する。なお、このような優先的な表示制御を、便宜的に、コンテンツの「提示順位制御」又は「表示順最適化」と称することがある。「表示」は、「提示」の一例である。
【００１７】
「表示順最適化」には、例えば、記事などのコンテンツのＣＴＲと当該コンテンツの時間経過とに基づいて、相互に類似するコンテンツ毎に、関心度（又は話題性）と鮮度とが反映されたスコアを算出する処理が含まれてよい。
【００１８】
また、「表示順最適化」には、例えば、類似コンテンツ群の中で最新のコンテンツのスコアに他の類似コンテンツのスコアを加算（「マージ」と称されてもよい）する処理が含まれてよい。
【００１９】
そして、「表示順最適化」には、例えば、類似コンテンツ群それぞれのスコアに従って、ユーザ端末に表示（例えば、リスト形式で表示）される個々の類似コンテンツの表示順位を制御する（例えば、並び替える）処理が含まれてよい。なお、「表示順位」は、「表示ランク」と言い換えられてもよい。
【００２０】
また、類似コンテンツ群のリスト形式による表示の具体的な態様及び／又はレイアウトは限定されない。例えば、複数の類似コンテンツは、図６及び図８〜図１２を参照して後述するように、ユーザ端末５の表示画面（閲覧画面）５０において、タイル状（又はグリッド状）に並べて表示されてもよいし、あるいは、その他の態様及び／又はレイアウトで並べて表示されてもよい。
【００２１】
以下、コンテンツの表示順位を制御又は最適化する装置、方法、及び、プログラムの一例について、図面を参照して説明する。なお、以下では、表示順位が制御される「コンテンツ」として、「記事」が含まれるコンテンツを例にして説明を行う。また、「記事が含まれるコンテンツ」を、「記事コンテンツ」又は単に「記事」と略称することがある。記事コンテンツには、写真及び／又は映像のような画像データが含まれていてもよい。
【００２２】
（表示順最適化装置の構成例）
図１は、一実施の形態に係る、コンテンツ（例えば、記事）の表示順位を制御又は最適化する装置１の構成例を示すブロック図である。装置１は、「表示順最適化装置１」と称されてよい。
【００２３】
表示順最適化装置１は、例示的に、記事収集部１１、類似記事判定部１２、記事データ保持部１３、記事ＣＴＲ算出部１４、記事ＣＴＲ保持部１５、スコア算出部１６、スコア保持部１７、表示順管理部１８、及び、表示結果収集部１９を備えてよい。
【００２４】
記事収集部１１は、例えば、インターネットなどのネットワーク３において公開（「掲載」又は「配信」と称されてもよい）された記事（データ）を収集する。記事データは、例えば、ネットワーク３に配置された１つ又は複数のサーバによって配信されてよい。
【００２５】
したがって、記事収集部１１が記事データを収集することには、１つ又は複数のサーバにアクセスすることが含まれてよい。サーバにアクセスすることには、例えば、ＤＮＳ（Domain Name System）サーバにアクセスすることが含まれてよい。なお、「配信」という用語は、「公開」又は「掲載」といった他の用語に言い換えられてもよい。
【００２６】
記事収集部１１によって収集された記事データは、例えば、記事データ保持部１３に保存される。記事の収集範囲については、予め決められていてよい。例えば、記事収集部１１は、予め定められた複数のドメイン名のリストを基に、各ドメイン名に対応するＩＰ（Internet Protocol）アドレスにアクセスして記事を収集してよい。ドメイン名のリストは、記事の収集元（別言すると、記事の配信元）の範囲を規定した設定情報の一例である。
【００２７】
類似記事判定部１２は、例えば、記事データ保持部１３に保存された記事群に対して類似判定を行う。類似判定の候補とする記事の期間（「時間レンジ」と称してもよい）は、例えば、政治、経済、エンタメ、又は、グルメといった、記事のジャンル毎に決定されてよい。
【００２８】
例えば、スポーツの結果速報のように記事の鮮度（別言すると、速報性）が重要と考えられるジャンルについては、他のジャンルよりも短い時間レンジが設定されてよい。なお、類似判定の手法は限定されない。また、類似判定の対象は、記事の本文でもよいし、記事のタイトルでもよいし、本文及びタイトルの双方でもよい。
【００２９】
また、類似記事判定部１２は、相互に類似すると判定した記事群（以下、「類似記事群」と略称することがある）の中で、代表記事を１つ決定（「選定」と称してもよい）する。代表記事を選定するルール（「条件」又は「ポリシー」と言い換えられてもよい）は限定されない。
【００３０】
非限定的な一例として、下記の（１）→（２）の順に、代表記事が選定されてよい。
（１）同じ配信元で記事生成日時が最新の記事
（２）他の配信元で記事生成日時が最新の記事
【００３１】
図２に、代表記事の選定例を示す。図２には、相互に類似すると判定された、同じ配信元の３つの記事Ａ、Ｂ及びＣが例示されている。図２の例では、３つの記事Ａ、Ｂ及びＣのうち、記事Ａの生成日時が最新であるため、類似記事判定部１２は、記事Ａを代表記事に選定する。
【００３２】
なお、例えば、エンタメ及び／又はグルメといったジャンルでは、様々な記事を見比べたいなどの、他の配信元の記事に対するニーズが考えられるため、上記の（２）→（１）の順に、代表記事が選定されてもよい。
【００３３】
記事の「配信元」は、非限定的な一例として、記事の配信元のドメイン名によって識別されてよい。また、「記事生成日時」は、便宜的に、配信日時（又は掲載日時）と同じであると扱ってよい。収集された記事データにおいて、配信日時（又は掲載日時）が特定可能であれば、配信日時（又は掲載日時）を基準に用いてもよい。
【００３４】
例えば、類似記事判定部１２は、収集された記事データのＲＳＳ（rich site summary）タグから配信日時（又は掲載日時）を特定してよい。配信日時が特定できない場合、類似記事判定部１２は、ＲＳＳタグが取得された日時を配信日時（又は掲載日時）と扱ってもよい。
【００３５】
記事データ保持部１３は、記事収集部１１によって収集された記事データを保持する。
【００３６】
記事ＣＴＲ算出部１４は、例えば、表示結果集計部１９において集計された、記事に対するクリック数及びインプレッション（ｉｍｐ）数を基に、ＣＲＴ（クリック数／インプレッション数）を算出する。
【００３７】
既述のとおり、「ＣＴＲ」は、コンテンツが閲覧画面５０に表示された回数（インプレッション数）のうち、当該コンテンツがクリックされた回数（クリック数）の割合を表し、記事に対するユーザの関心度を示す指標の一例である。「クリック」は、閲覧画面５０に対するユーザによる選択操作の一例である。したがって、ユーザによる「クリック数」は、ユーザによる「選択回数」と言い換えられてもよい。算出されたＣＲＴは、例えば記事ＣＴＲ保持部１５に、記事と関連付けて保存されてよい。
【００３８】
なお、「インプレッション数」は、ユーザ端末５において記事コンテンツの閲覧に用いられるアプリケーションが記事コンテンツを取得しただけの場合はカウントされない。一方、同じユーザ端末５において同じ記事コンテンツが複数回にわたって表示された場合は、「インプレッション数」にカウントされる。したがって、「インプレッション数」は、ユーザによる閲覧回数と扱われてもよい。
【００３９】
また、ユーザ端末５において記事コンテンツの閲覧に用いられるアプリケーションは、便宜的に、「閲覧アプリ」又は「端末アプリ」と略称されてよい。「ブラウザ」は、「閲覧アプリ」の一種と捉えられてもよい。
【００４０】
スコア算出部１６は、例えば、表示されてから或る時間が経過した全ての記事について、スコアを計算し、また、ＣＴＲの閾値判定を行う。計算されたスコアは、例えば、記事と関連付けてスコア保持部１７に保存されてよい。
【００４１】
スコアの計算には、例えば、時間経過に応じてスコアが変化（例えば、減少）する関数が用いられてよい。この場合、スコアには、時間経過に応じた記事の鮮度（「トレンド」と称してもよい）が反映される。したがって、スコアは、便宜的に、「トレンドスコア」と称されてもよい。
【００４２】
非限定的な一例として、トレンドスコアの計算には、図３に実線Ａで示すように、時間経過に応じて線形的にスコアが減少する関数が用いられてもよいし、図３に点線Ｂで示すように、時間経過に応じて指数的にスコアが減少する関数が用いられてもよい。別言すると、トレンドスコアの変化量（減少量）は、時間経過に応じて一定でもよいし変化してもよい。
【００４３】
また、スコア算出部１６は、例えば、記事毎に、記事ＣＴＲ算出部１４によって計算されたＣＴＲの閾値判定によって、ＣＴＲが閾値以上の記事のトレンドスコアを増加し、閾値未満の記事のトレンドスコアを減少する。ＣＴＲの閾値には、例えば、記事のジャンルを問わず共通の値が設定されてもよいし、記事のジャンル毎に異なる値が設定されてもよい。
【００４４】
ＣＴＲの閾値判定結果に応じたトレンドスコアの増加又は減少は、例えば、トレンドスコアに対して特定の値（所定値でも可変値でもよい）を加算又は減算することによって行われてもよいし、既述の関数の時間経過に応じた減少量を変化させることによって行われてもよい。
【００４５】
非限定的な一例として、図４に、図３の実線Ａで示される関数に対して、トレンドスコアの増加又は減少が行われる例を示す。図３に例示するように、スコア算出部１６は、或る記事のＣＴＲが閾値以上であると判定したタイミング以降において当該記事のトレンドスコアを増加させてよい。一方、スコア算出部１６は、或る記事のＣＴＲが閾値未満であると判定したタイミング以降において当該記事のトレンドスコアを減少させてよい。
【００４６】
トレンドスコアの増加量及び減少量には、記事のジャンルを問わず共通の値が設定されてもよいし、記事のジャンル毎に異なる値が設定されてもよい。
【００４７】
スコア保持部１７は、例えば、類似記事毎に、計算されたトレンドスコアを保持する。
【００４８】
表示順管理部１８は、類似記事それぞれのトレンドスコアに基づいて各類似記事の提示順位を制御する「制御部」の一例である。ただし、既述の記事収集部１１、類似記事判定部１２、記事データ保持部１３、記事ＣＴＲ算出部１４、記事ＣＴＲ保持部１５、及び、スコア保持部１７の全部又は一部が、表示順管理部１８と共に、「制御部」を構成してもよい。
【００４９】
別言すると、表示順管理部１８の機能と、記事収集部１１、類似記事判定部１２、記事データ保持部１３、記事ＣＴＲ算出部１４、記事ＣＴＲ保持部１５、及び、スコア保持部１７のいずれか１つ以上の機能と、は「制御部」に統合されていてもよい。
【００５０】
表示順管理部１８は、例えば、スコア保持部１７に保存された類似記事毎のトレンドスコアを基に、類似記事群のうち、代表記事のトレンドスコアに、他の類似記事のトレンドスコアを加算する。
【００５１】
図５に、表示順管理部１８によるトレンドスコアの加算例を示す。図５には、代表記事に選ばれた記事Ａのトレンドスコアが「３」であり、類似記事Ｂ及びＣのトレンドスコアがそれぞれ「２」及び「１」である例が示されている。
【００５２】
図５の例において、表示順管理部１８は、代表記事Ａのトレンドスコア＝３に、類似記事Ｂのトレンドスコア＝２と、類似記事Ｃのトレンドスコア＝２と、を加算する。これにより、代表記事Ａのトレンドスコアは、３＋２＋１＝６となる。したがって、記事Ａ、記事Ｂ、及び、記事Ｃのトレンドスコアは、それぞれ、「６」、「２」、及び、「１」となる。
【００５３】
このように、類似記事群のうちの代表記事のトレンドスコアに、他の類似記事のトレンドスコアを加算することで、類似記事群の中でも最新の記事のトレンドスコアが、関心度又は話題性の高さ（別言すると、盛り上がり）に応じて「かさ上げ」される。したがって、例えば、代表記事のトレンドスコアに所定値を加算する場合よりも、代表記事の優先度順位を、関心度又は話題性の高さに応じて適切に設定できる。
【００５４】
そして、表示順管理部１８は、ユーザ端末５の閲覧画面５０において例えばリスト形式で表示される類似記事群の表示順位を、類似記事それぞれのトレンドスコアに基づいて制御する。例えば、表示順管理部１８は、トレンドスコアの降順に類似記事群を並べ替える。
【００５５】
図６に、ユーザ端末５にリスト形式で提供される複数の類似記事Ａ〜Ｆが、それぞれのトレンドスコアの降順に並べ替えられた例を示す。ただし、表示順管理部１８は、トレンドスコアの昇順に類似記事群を並べ替えてもよい。また、表示順管理部１８は、降順及び昇順とは異なる、トレンドスコアに関する他のルールに従って類似記事群を並べ替えてもよい。
【００５６】
トレンドスコアが同じ類似記事（例えば、記事Ｂ及びＣ）間の表示順位は、同順位でもよいし、何らかのルールに従って異なる順位に決定されてもよい。また、リスト形式で類似記事群を提示する上で、類似擬似群をトレンドスコアに従って並べ替えることは、類似擬似群をトレンドスコアによってランク付けしたランキング形式にて提示すること、と捉えてもよい。
【００５７】
表示結果集計部１９は、例えば、ユーザ端末５において記事コンテンツの閲覧に用いられた端末アプリから、閲覧履歴に関する情報（例えば、ログ）を取得する。閲覧履歴に関する情報は、複数のユーザ端末５から取得されてよい。
【００５８】
また、表示結果集計部１９は、取得した閲覧履歴に関する情報を集計して、例えば、ＣＴＲの計算に用いられる、インプレッション数及びクリック数を、記事コンテンツ毎に取得する。
【００５９】
なお、ユーザ端末５は、例えば、無線又は有線のアクセス網を介して表示順最適化装置１にアクセスすることが可能である。したがって、閲覧履歴に関する情報は、例えば、アクセス網を介してユーザ端末５から表示順最適化装置１に提供されてよい。また、ユーザ端末５宛の類似記事リストなどの情報は、アクセス網を介して表示順最適化装置１からユーザ端末５へ提供されてよい。
【００６０】
（動作例）
以下、上述の表示順最適化装置１の動作例について、図７のフローチャートを参照して説明する。
【００６１】
記事収集部１１は、ネットワーク３において公開（又は掲載）された記事を収集し、収集した記事を、例えば記事データ保持部１３に保存する（ステップＳ１１）。
【００６２】
類似記事判定部１２は、記事データ保持部１３に保存された記事群に対して類似判定を行い（ステップＳ１２）、図２にて説明したように、相互に類似すると判定した記事群（類似記事群）の中で代表記事を１つ決定する（ステップＳ１３）。
【００６３】
一方、ＣＴＲ算出部１４は、表示結果集計部１９による集計結果を基に、類似記事毎にＣＴＲを算出し、算出したＣＴＲを対応する類似記事と関連付けて、例えば記事ＣＴＲ保持部１５に保存する（ステップＳ１４）。
【００６４】
スコア算出部１６は、表示されから或る時間が経過した全ての類似記事について、例えば図３及び図４にて説明したように、トレンドスコアを計算し、また、ＣＴＲの閾値判定を行う（ステップＳ１５及びＳ１６）。
【００６５】
閾値判定の結果、ＣＴＲが閾値以上（ステップＳ１６でＹＥＳ）の類似記事について、スコア算出部１６は、トレンドスコアを増加する（ステップＳ１７）。一方、ＣＴＲが閾値未満（ステップＳ１６でＮＯ）の類似記事について、スコア算出部１６は、トレンドスコアを減少する（ステップＳ１８）。
【００６６】
次いで、表示順管理部１８は、例えば図５にて説明したように、類似記事群のうちの代表記事のトレンドスコアに、他の類似記事のトレンドスコアを加算する（ステップＳ１９）。
【００６７】
そして、表示順管理部１８は、例えば図６に示したように、類似記事群の表示順位を、それぞれのトレンドスコアの例えば降順に並べ替え（ステップＳ２０）、並べ替えた類似記事群を例えばリスト形式にてユーザ端末５宛に出力する（ステップＳ２１）。類似記事群は、例えば、端末アプリによってユーザ端末５の表示画面５０に表示される。
【００６８】
表示順最適化装置１は、図７に例示したステップＳ１１からＳ２１の処理を周期的に（例えば、数分から数十分毎に）繰り返す。繰り返しの周期は、記事のジャンル毎に異なる周期に設定されてよい。例えば、スポーツの結果速報のように速報性にニーズのあるジャンルについては、他のジャンルよりも短い周期が設定されてよい。
【００６９】
以上のように、上述した実施形態によれば、ＣＴＲが閾値以上である関心度又は話題性の高い記事に類似する最新記事（例えば、共通の話題を有する最新記事）の表示順位を高くできる。別言すると、関心度又は話題性の高い記事の最新記事を、ユーザ端末５の閲覧画面５０において他の記事よりも目に付きやすい位置（目立つ位置）に表示できる。
【００７０】
したがって、関心度又は話題性の高い記事を未閲覧のユーザ、及び、過去に閲覧したことがあるユーザの双方に、閲覧のインセンティブを与えることができる。よって、関心度又は話題性の高い記事であるにも関わらず閲覧機会が喪失することを抑制でき、記事閲覧率の増加、ひいては、利用促進に資する。
【００７１】
（類似記事群の画面表示例）
次に、図８〜図１２を参照して、ユーザ端末５における類似記事群（類似記事リスト）の画面表示例について説明する。なお、図８〜図１２には、非限定的な一例として、６つの類似記事が含まれる記事リストの画面表示例が示されている。
【００７２】
（第１の画面表示例）
図８は、類似記事リストの第１の画面表示例を示す図である。図８には、非限定的な一例として、ユーザ端末５の表示画面５０においてリスト形式で表示される複数の類似記事Ａ〜Ｆの中で、ＣＴＲが閾値以上の記事Ａ〜Ｃにタグを付与する例が示されている。
【００７３】
例えば、「良く見られている」といった関心度又は話題性の高い記事であることを示す情報を含むタグが、記事Ａ〜Ｃに付与されてよい。なお、タグの付与は、例えば表示管理部１８によって行われてよい（以下において同じ）。関心度又は話題性の高い記事であることを示す情報は、明示的な情報でもよいし、暗示的な情報でもよい。
【００７４】
このようなタグをＣＴＲが閾値以上の類似記事に付与することで、関心度又は話題性の高い記事の最新記事をユーザの目に付きやすい位置に表示できることに加えて、関心度又は話題性の高い記事にユーザを注目させやすくできる。
【００７５】
したがって、関心度又は話題性の高い記事に対する閲覧のインセンティブをユーザに与えることができ、例えば、関心度又は話題性の高い記事の閲覧率を更に高めることができる。
【００７６】
（第２の画面表示例）
図９及び図１０は、類似記事リストの第２の画面表示例を示す図である。図９には、非限定的な一例として、複数の類似記事Ａ〜Ｆの中で、代表記事に入れ替わりのあった記事Ａ〜Ｄにタグを付与する例が示されている。図１０には、非限定的な一例として、複数の類似記事Ａ〜Ｆの中で、代表記事に入れ替わりのあった記事Ａ及びＢにタグを付与する例が示されている。図１０の画面表示例は、図９の画面表示例の変形例と捉えてもよい。
【００７７】
例えば、表示順管理部１８は、図７のステップＳ１３において代表記事に選定される類似記事が他の類似記事に入れ替わった場合、新たに代表記事に選定された類似記事（別言すると、入れ替わり後の代表記事）にタグを付与する。
【００７８】
例えば、表示順管理部１８は、新たに代表記事に選定された類似記事に、関心度又は話題性の高い記事（代表記事）に「入れ替わり」別言すると「更新」があったことを示す情報を含むタグを付与してよい。「更新があったことを示す情報」は、明示的な情報でもよいし、暗示的な情報でもよい。
【００７９】
「更新があったことを示す示す情報」には、例えば図９に示すように、「ＸＸ時間以内（又は、ＹＹ分以内）に更新がありました」といった、「更新」のあったタイミングを示す時間情報が含まれてよい。また、例えば図１０に示すように、「注目」及び／又は「最新」といった、時間情報を伴わない情報が「更新があったことを示す情報」に含まれてもよい。
【００８０】
なお、代表記事に入れ替わりのあった類似記事が複数存在する場合には、表示順管理部１８は、所定のルール（例えば、トレンドスコアの閾値判定）に従ってタグを付与する対象の記事を決定してよい。
【００８１】
図９及び図１０に例示したようなタグ付けによって、関心度又は話題性の高い記事をユーザの目に付きやすい位置に表示できることに加えて、関心度又は話題性の高い記事に更新があったことをユーザに気付かせやすくできる。
【００８２】
したがって、関心度又は話題性の高い記事に対する閲覧のインセンティブをユーザに与えることができ、例えば、関心度又は話題性の高い記事の閲覧率を更に高めることができる。
【００８３】
（第３の画面表示例）
図１１は、類似記事リストの第３の画面表示例を示す図である。図１１には、非限定的な一例として、複数の類似記事Ａ〜Ｆの中で、代表記事に入れ替わりがあり、且つ、入れ替わり前後で記事の配信元が同じ記事Ａ及びＢにタグを付与する例が示されている。
【００８４】
代表記事に入れ替わりがあり、且つ、入れ替わり前後で記事の配信元が同じであるということは、代表記事に更新があり、且つ、更新後の記事が更新前の記事から継続した情報（別言すると、続報）を含む記事であると云える。なお、更新（入れ替わり）の前後で記事の配信元が同じであるか否かは、例えば、記事の配信元を示すドメイン名に基づいて識別されてよい。
【００８５】
したがって、例えば、表示順管理部１８は、図７のステップＳ１３において代表記事に選定される類似記事が他の類似記事に入れ替わり、かつ、入れ替わり前後で配信元が同じドメイン名である場合、入れ替わり後の代表記事にタグを付与する。
【００８６】
例えば、表示順管理部１８は、入れ替わり後の同じ配信元の代表記事に、図１１に示すように、入れ替わり前からの「継続」した情報（続報）が有ることを示す情報を含むタグを付与してよい。「継続した情報が有ることを示す情報」は、明示的な情報でもよいし、暗示的な情報でもよい。
【００８７】
なお、「継続した情報が有ることを示す情報」には、前述の第２の画面表示例と同様に、例えば、「ＸＸ時間前（又はＹＹ分前）からの続報」といった、時間情報が含まれてもよい。
【００８８】
図１１に例示したようなタグ付けによって、関心度又は話題性の高い記事をユーザの目に付きやすい位置に表示できることに加えて、関心度又は話題性の高い記事に続報があったことをユーザに気付かせることができる。
【００８９】
したがって、関心度又は話題性の高い記事に対する閲覧のインセンティブをユーザに与えることができ、例えば、関心度又は話題性の高い記事の閲覧率を更に高めることができる。
【００９０】
（第４の画面表示例）
図１２は、類似記事リストの第４の画面表示例を示す図である。図１２には、非限定的な一例として、類似記事Ａ〜Ｆを、それぞれの配信時間に従って時系列に並べて表示する例が示されている。
【００９１】
例えば、表示順管理部１８は、図７のステップＳ２０において、複数の類似記事を、トレンドスコアの降順、かつ、配信日時の新しい順に並べ替える。また、表示順管理部１８は、各類似記事のそれぞれに配信日時に応じた時間情報を示すタグを付与してよい。例えば図１２に示すように、表示順管理部１８は、現時刻から何分前又は何時間前の記事であるかを示す情報を含むタグを類似記事のそれぞれに付与してよい。
【００９２】
このようなタグ付けによれば、関心度又は話題性の高い記事をユーザの目に付きやすい位置に表示できることに加えて、関心度又は話題性の高い記事の鮮度がユーザにとって一目で直感的に理解し易くなる。
【００９３】
したがって、関心度又は話題性の高い記事に対する閲覧のインセンティブをユーザに与えることができ、例えば、関心度又は話題性の高い記事の閲覧率を更に高めることができる。
【００９４】
（タグに関する補足）
なお、上述した「タグ」は、「目印」又は「ラベル」といった他の呼称で呼ばれてもよい。また、「タグ」は、付与される記事に対して強調表示されてよい。強調表示には、例えば、タグの色、形状、及び／又は、字体などを記事とは異ならせることが含まれてよい。また、タグを付与する位置は、記事との対応関係が視認できる位置であればよく、例えば、記事から離れた近傍位置でもよいし、記事の閲覧に支障の無い程度にタグの一部又は全部が記事に重なる位置でもよい。
【００９５】
（実施形態の効果のまとめ）
上述した実施形態によれば、ＣＴＲが閾値以上である関心度又は話題性の高い複数の類似記事のそれぞれについて、クリック率と時間経過とに基づいてスコアを算出し、各類似記事の中で最新の代表記事のスコアに他の類似記事のスコアを加算する。
【００９６】
これにより、類似記事群の中でも最新記事のトレンドスコアが、関心度又は話題性の高さ（別言すると、盛り上がり）に応じて「かさ上げ」される。したがって、例えば、最新記事のスコアに所定値を加算する場合よりも、代表記事の優先度順位を、関心度又は話題性の高さに応じて適切に設定できる。
【００９７】
その上で、各類似記事それぞれのスコアに基づいて、各類似記事の提示順位を制御することで、例えば、類似記事群の中でも最新の記事（例えば、共通の話題を有する最新記事）の表示順位を高くできる。別言すると、関心度又は話題性の高い記事の最新記事を、ユーザ端末５の閲覧画面５０において他の記事よりも目に付きやすい位置に表示できる。
【００９８】
したがって、関心度又は話題性の高い記事を未閲覧のユーザ、及び、過去に閲覧したことがあるユーザの双方に、閲覧のインセンティブを与えることができる。よって、関心度又は話題性の高い記事であるにも関わらず閲覧機会が喪失することを抑制でき、記事閲覧率の増加、ひいては、利用促進に資する。
【００９９】
また、各類似記事それぞれのスコア算出において、ＣＴＲが閾値以上のコンテンツのスコアを増加し、ＣＴＲが閾値未満のコンテンツのスコアを減少することで、各類似記事の中でも関心度又は話題性の高い記事ほど表示順位を高くできる。したがって、簡易なスコア制御によって、上述した作用効果を達成できる。
【０１００】
スコアの増加及び減少については、例えば、時間経過に応じてスコアが減少する関数の減少度を変化させることで実現できる。この場合、スコアの単純な一定量の減少（別言すると、線形的な減少）と比較して、表示順位の制御に関して、より柔軟な、又は、より自由度の高い設定が可能になる。
【０１０１】
また、代表記事の選定において、同じ配信元の記事を異なる配信元の記事よりも優先することで、例えば、関心度又は話題性の高い記事の、同じ配信元による最新の続報の表示順位を、異なる配信元の記事よりも高めることができる。したがって、関心度又は話題性の高い記事の最新の続報を、ユーザ端末５の閲覧画面５０において目に付きやすい位置に表示させることができ、関心度又は話題性の高い記事の閲覧率を高めることができる。
【０１０２】
また、ユーザ端末５の閲覧画面５０に表示される類似記事群のうち、ＣＴＲが閾値以上の記事にタグを付与することで、関心度又は話題性の高い記事にユーザを注目させやすくできる。したがって、関心度又は話題性の高い記事の最新記事をユーザの目に付きやすい位置に表示できることと相俟って、関心度又は話題性の高い記事に対する閲覧のインセンティブをユーザに与えることができる。よって、関心度又は話題性の高い記事の閲覧率を更に高めることができる。
【０１０３】
また、代表記事に選ばれる類似記事に入れ替わりがあった場合に、入れ替わり後の代表記事にタグを付与することで、関心度又は話題性の高い記事に更新があったことをユーザに気付かせやすくできる。したがって、関心度又は話題性の高い記事をユーザの目に付きやすい位置に表示できることと相俟って、関心度又は話題性の高い記事に対する閲覧のインセンティブをユーザに与えることができる。よって、関心度又は話題性の高い記事の閲覧率を更に高めることができる。
【０１０４】
また、代表記事の入れ替わりの前後で記事の配信元が同じ場合、入れ替わり後の記事に最新記事に継続した情報（続報）であることを示すタグを付与することで、関心度又は話題性の高い記事に続報があったことをユーザに気付かせることができる。
【０１０５】
したがって、関心度又は話題性の高い記事をユーザの目に付きやすい位置に表示できることと相俟って、関心度又は話題性の高い記事に対する閲覧のインセンティブをユーザに与えることができる。よって、関心度又は話題性の高い記事の閲覧率を更に高めることができる。
【０１０６】
また、ユーザ端末５の閲覧画面５０に表示される類似記事群を、それぞれの配信時間に基づいて時系列に並べることで、関心度又は話題性の高い記事の鮮度をユーザが一目で直感的に把握し易くなる。例えば、配信時間に応じた時間情報を示すタグを各類似記事群に付与することで、直感的な把握し易さを更に高めることができる。したがって、関心度又は話題性の高い記事をユーザの目に付きやすい位置に表示できることと相俟って、関心度又は話題性の高い各類似記事の閲覧率を高めることができる。
【０１０７】
なお、上述した各種の効果又は利点は、既述の例示的な実施形態から導き出される効果又は利点であって、本発明に必須の効果又は利点として解釈されるべきではない。本発明の効果又は利点については、特許請求の範囲に規定された事項と、例示的な実施形態の記載と、の関係で、当業者の知見によって合理的に解釈され、また、定められるべきである。
【０１０８】
（ハードウェア構成例）
図１に例示した構成例は、機能的な構成例を示しており、図１に例示した機能的なブロック又はコンポーネントは、ハードウェア及びソフトウェアの一方又は双方の組み合わせによって実現されてよい。
【０１０９】
また、機能的なブロック又はコンポーネントの実現手段は限定されない。例えば、機能的なブロック又はコンポーネントは、物理的及び／又は論理的に結合された１つの装置によって実現されてもよいし、物理的及び／又は論理的に分離した複数の装置を直接的及び／又は間接的に（例えば、有線及び／又は無線）で接続することによって実現されてもよい。「装置」という用語は、「回路」、「デバイス」、又は、「ユニット」に読み替えられてよい。
【０１１０】
上述した実施形態に係る表示順最適化装置１は、図７に例示した処理を実行する１つ又は複数のコンピュータ（例えば、サーバ）によって実現されてよい。別言すると、図７に例示した処理は、１つのコンピュータによって集中的に実行されてもよいし、複数のコンピュータによって分散的に実行されてもよい。
【０１１１】
図１３は、コンピュータ１００のハードウェア構成の一例を示すブロック図である。コンピュータ１００は、表示順最適化装置１に該当してもよいし、ユーザ端末５に該当してもよい。また、コンピュータ１００は、記事コンテンツを配信するサーバに該当してもよいし、ＤＮＳサーバに該当してもよい。
【０１１２】
コンピュータ１００は、例示的に、プロセッサ１００１、メモリ１００２、ストレージ１００３、通信装置１００４、入力装置１００５、出力装置１００６、及び、バス１００７を備えてよい。なお、コンピュータ１００は、図１３に例示したブロック又はコンポーネントを複数含んだ構成でもよいし、一部のブロック又はコンポーネントを含まない構成でもよい。
【０１１３】
プロセッサ１００１は、演算能力を備えた演算処理装置の一例であり、例えば、ＣＰＵ（Central Processing Unit）が、プロセッサ１００１に適用されてよい。プロセッサ１１００１は、シングルコアプロセッサでもよいし、マルチコアプロセッサでもよい。
【０１１４】
プロセッサ１００１が、例えば、メモリ１００２及び／又はストレージ１００３に記憶されたプログラム（又は、プログラムコード）を読み取って実行することで、プログラムに応じた機能及び／又は処理が具現される。
【０１１５】
なお、「プログラム」は、「ソフトウェア」あるいは「アプリケーション」と言い換えられてもよい。また、「プログラム」の実行には、プログラムの実行に用いられるデータの読み出し、及び／又は、プログラムの実行に伴って生成されるデータの書き込み、が含まれてよい。
【０１１６】
また、プログラムは、例えば、コンピュータ読み取り可能な記録媒体を用いてコンピュータ１００に提供（インストール）されてもよいし、サーバからネットワークを介した通信によってコンピュータ１００に提供されてもよい。
【０１１７】
記録媒体の一例としては、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、及び、磁気ストリップが挙げられる。
【０１１８】
プロセッサ１００１がプログラムを実行することによって、メモリ１００２及び／又はストレージ１００３に対するデータの読み出し及び／又は書き込みが制御され、また、通信装置１００４による通信が制御される。
【０１１９】
例えば、図７に示した処理を記述したプログラムをプロセッサ１００１が実行することで、図１に例示した機能的なブロック及び／又はコンポーネントを含む表示順最適化装置１が具現される。なお、図７に示した処理を記述したプログラムは、コンテンツの「表示順最適化プログラム」あるいは「表示順位制御プログラム」と称されてよい。
【０１２０】
例えば、図１に例示した記事収集部１１、類似記事判定部１２、記事ＣＴＲ算出部１４、スコア算出部１６、表示順管理部１８、及び、表示結果集計部１９は、プロセッサ１００１が表示順最適化プログラムを実行することで具現される。
【０１２１】
なお、表示順最適化プログラムは、１つのプロセッサ１００１で実行されてもよいし、複数のプロセッサ１００１によって同時に又は逐次に実行されてもよい。プロセッサ１００１は、１以上のチップにてコンピュータ１００に実装されてもよい。
【０１２２】
メモリ１００２は、コンピュータ読み取り可能な記録媒体の一例であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、及び、ＲＡＭ（Random  Access  Memory）の少なくとも１つを含んで構成されてよい。メモリ１００２は、レジスタ、キャッシュ、又は、メインメモリ（主記憶装置）と称されてもよい。
【０１２３】
ストレージ１００３は、コンピュータ読み取り可能な記録媒体の一例であり、例えば、ＣＤ−ＲＯＭなどの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、及び、磁気ストリップの少なくとも１つを含んで構成されてよい。ストレージ１００３は、補助記憶装置と称されてもよい。
【０１２４】
上述の記録媒体は、例えば、メモリ１００２及び／又はストレージ１００３を含むデータベース、あるいは、サーバその他の適切な媒体であってもよい。例えば、図１に例示した記事データ保持部１３、記事ＣＴＲ保持部１５、及び、スコア保持部１７の全部又は一部は、メモリ１００２、及び／又は、ストレージ１００３によって実現されてよい。
【０１２５】
通信装置１００４は、有線及び／又は無線ネットワークを介してコンピュータ間の通信を行うためのハードウェア（送受信デバイス）の一例である。通信装置１００４は、ネットワークデバイス、ネットワークコントローラ、ネットワークカード、又は、通信モジュールと称されてもよい。
【０１２６】
図１に例示した記事収集部１１は、通信装置１００４を介して記事コンテンツを収集してよい。また、図１に例示した表示順管理部１８は、通信装置１００４を介して、ユーザ端末５宛に類似記事リストを送信してよい。また、図１に例示した表示結果集計部１９は、通信装置１００４を介して、ユーザ端末５における記事コンテンツの閲覧履歴に関する情報を取得してよい。
【０１２７】
入力装置１００５は、コンピュータ１００にデータ又は情報を入力する。例えば、キーボード、マウス、マイクロフォン、スイッチ、ボタン、及び、センサの少なくとも１つが、入力装置１００５に含まれてよい。
【０１２８】
出力装置１００６は、コンピュータ１００の外部にデータ又は情報を出力する。例えば、ディスプレイ、スピーカー、及び、ＬＥＤランプの少なくとも１つが、出力装置１００６に含まれてよい。なお、タッチパネル式ディスプレイのように、入力装置１００５及び出力装置１００６は、統合されてもよい。
【０１２９】
上述したハードウェアコンポーネント１００１〜１００６の全部又は一部は、コンピュータ１００内においてデータ又は情報を伝送する１つ又は複数のバス１００７に接続されてよい。
【０１３０】
また、コンピュータ１００は、ＭＰＵ（Micro Processing Unit）、ＤＳＰ（Digital Signal Processor）、ＩＣ（Integrated Circuit）、ＡＳＩＣ（Application Specific Integrated Circuit）、ＰＬＤ（Programmable Logic Device）、及び、ＦＰＧＡ（Field Programmable Gate Array）の少なくとも１つを含んで構成されてもよい。例えば、プロセッサ１００１は、これらのハードウェアの少なくとも１つを含んで構成されてもよい。
【０１３１】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１３２】
（処理手順等）
本明細書で説明した実施形態の処理手順、方法、又は、フローチャートは、矛盾の無い限り、処理又はステップの順序を入れ替えてもよい。別言すれば、上述した実施形態において提示した処理又はステップの順序は、特定の順序に限定されない。
【０１３３】
（入出力された情報等の扱い）
入出力された情報等は、特定の場所（例えば、メモリ）に保存されてもよいし、管理テーブルにおいて管理してもよい。入出力される情報等は、上書き、更新、又は、追記されてよい。出力された情報等は、削除されてもよい。入力された情報等は、他の装置に送信されてもよい。
【０１３４】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１３５】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３７】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３８】
なお、本明細書で説明した用語及び／又は本明細書の理解に必要な用語については、同一の又は類似する意味を有する用語と置き換えてもよい。
【０１３９】
（「システム」、「ネットワーク」）
「システム」および「ネットワーク」という用語は、互換的に使用されてよい。
【０１４０】
（パラメータ）
また、「情報」及び「パラメータ」などは、絶対値で表されてもよいし、特定の値に対する相対値で表されてもよいし、対応する別の情報によって表されてもよい。
【０１４１】
パラメータに使用する名称はいかなる点においても限定的なものではない。さらに、これらのパラメータを使用する数式などは、本明細書で開示した数式などと実質的に等価と評価できる範囲で、変形などによって異なる場合があってもよい。
【０１４２】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、又は、幾つかの他の適切な用語で呼ばれる場合もある。ユーザ端末は、その位置が変化しない固定端末であってもよいし、その位置が変化する移動端末であってもよい。非限定的な一例として、ユーザ端末は、携帯電話やスマートフォン、タブレット端末等の移動可能な端末であってよい。
【０１４３】
（用語の意味、解釈）
「判断（determining）」あるいは「決定（determining）」という用語は、多種多様な動作を包含する場合がある。例えば、「判断」あるいは「決定」という用語は、判定（judging）、計算（calculating）、算出（computing）、処理（processing）、導出（deriving）、調査（investigating）、探索（looking up）、確認（ascertaining）したことを、「判断」あるいは「決定」したと扱うことを含み得る。探索（looking up）には、例えば、テーブル、データベースまたは別のデータ構造での探索が含まれてよい。
【０１４４】
また、「判断」あるいは「決定」は、受信（receiving）、送信（transmitting）、入力（input）、出力（output）、アクセス（accessing）したことを、「判断」あるいは「決定」したと扱うことをなどを含み得る。受信（receiving）には、例えば、何らかの情報を受信することが含まれてよく、送信（transmitting）には、例えば、何らかの情報を送信することが含まれてよい。アクセス（accessing）には、例えば、メモリに記憶されたデータにアクセスすることが含まれてよい。
【０１４５】
また、「判断」あるいは「決定」は、解決（resolving）、選択（selecting）、選定（choosing）、確立（establishing）、比較（comparing）などしたことを、「判断」あるいは「決定」したと扱うことを含み得る。別言すると、「判断」あるいは「決定」という用語は、何らかの動作を「判断」あるいは「決定」したと扱うことを含み得る。
【０１４６】
「接続された（connected）」又は「結合された（coupled）」という用語、あるいは、これらのあらゆる変形には、２つ以上の要素間の直接的又は間接的なあらゆる接続又は結合が含まれてよい。また、互いに「接続」又は「結合」された２つの要素間には、１つ以上の中間要素が存在してもよい。
【０１４７】
要素間の結合又は接続は、物理的でもよいし論理的でもよく、あるいは、これらの組み合わせであってもよい。例えば、２つの要素は、１つ以上の電線、ケーブル及び／又はプリント電気接続を使用することにより、あるいは、幾つかの非限定的かつ非包括的な例として、無線周波数領域、マイクロ波領域、及び／又は、光領域の波長を有する電磁エネルギーなどの電磁エネルギーを使用することにより、互いに「接続」又は「結合」されてよい。光領域の波長は、可視光及び不可視光の一方又は双方の波長であってよい。
【０１４８】
「に基づいて」という記載は、別段に明記されていない限り、「のみに基づいて」を意味しない。言い換えれば、「に基づいて」という記載は、「のみに基づいて」と「に少なくとも基づいて」との両方を包含する。
【０１４９】
各装置の構成における「部」は、「手段」、「回路」、又は、「デバイス」等に置き換えられてもよい。
【０１５０】
「含む（including）」、「含んでいる（comprising）」、及び、それらの変形が、本明細書あるいは特許請求の範囲で使用されている場合、これらの用語は、用語「備える」と同様に、包括的であることが意図される。さらに、本明細書あるいは特許請求の範囲において使用されている用語「又は（or）」は、排他的論理和ではないことが意図される。
【０１５１】
本開示の全体において、例えば、英語での「a」、「an」、及び、「the」のように、翻訳により冠詞が付された場合、これらの冠詞は、文脈により明らかに異なる意図が示されていなければ、単数に限られず複数であることも含む。
【０１５２】
以上、本発明の一実施形態について詳細に説明したが、本発明が実施形態に限定されないことは当業者に明らかである。例えば、本発明は、特許請求の範囲に規定された事項によって定まる本発明の趣旨及び範囲を逸脱しなければ、修正及び／又は変更した態様を包含する。したがって、本明細書における開示は、発明の例示説明を目的とし、本発明に対して何ら制限的な意味を有さない。
【符号の説明】
【０１５３】
１  表示順最適化装置
３  ネットワーク
５  ユーザ端末
１１  記事収集部
１２  類似記事判定部
１３  記事データ保持部
１４  記事ＣＴＲ算出部
１５  記事ＣＴＲ保持部
１６  スコア算出部
１７  スコア保持部
１８  表示順管理部
１９  表示結果集計部
５０  表示画面（閲覧画面）
１００  コンピュータ
１００１  プロセッサ
１００２  メモリ
１００３  ストレージ
１００４  通信装置
１００５  入力装置
１００６  出力装置
１００７  バス
【図１】
2019105942.tif 000003
【図２】
2019105942.tif 000004
【図３】
2019105942.tif 000005
【図４】
2019105942.tif 000006
【図５】
2019105942.tif 000007
【図６】
2019105942.tif 000008
【図７】
2019105942.tif 000009
【図８】
2019105942.tif 000010
【図９】
2019105942.tif 000011
【図１０】
2019105942.tif 000012
【図１１】
2019105942.tif 000013
【図１２】
2019105942.tif 000014
【図１３】
2019105942.tif 000015